(57)【要約】【課題】デジタルコンテンツの配信において、ユーザはサービス取得履歴に関する情報に応じて柔軟なサービスを取得でき、配信側はコピーコンテンツの削減が図れる番組配信システム、番組配信装置および番組受信装置を提供する。【解決手段】番組配信装置は、番組を配信する際、番組に関連するサービス情報を取得するための情報とそのサービスの取得可能な条件に関する情報を多重して配信し、番組受信装置は、番組を選択する際、選択した番組におけるサービス取得履歴に関する情報とサービスの取得可能な条件に関する情報を比較することにより、サービス取得履歴に関する情報に基づいて取得可能なサービスを取得するとともに、サービスの取得可能な条件に関する情報に基づいてサービス取得履歴に関する情報を更新する。【選択図】図１
2009260686.tif 000002
【特許請求の範囲】
【請求項１】
放送電波やインターネットなどを介して番組を配信する少なくとも１台の番組配信装置と、前記番組配信装置から前記放送電波や前記インターネットなどを介して番組を受信する少なくとも１台の番組受信装置で構成される番組配信システムであって、
前記番組配信装置は、
前記番組受信装置において番組を選択するための情報であり、番組を一意に規定する番組識別情報が多重された番組選択情報を生成する番組選択情報生成手段と、
前記番組受信装置において前記番組選択情報を用いて選択された番組に関連する番組関連情報や番組関連サービス情報の有無および前記番組関連情報や前記番組関連サービス情報の格納先など、前記番組関連情報や前記番組関連サービス情報を取得するための情報を生成する番組関連情報取得のための情報生成手段と、
前記番組受信装置において前記番組関連情報や前記番組関連サービス情報を活用して前記番組関連サービス情報に対応するサービスを取得することができる条件に関する情報を生成する番組関連情報取得のための条件生成手段と、
前記番組関連情報や前記番組関連サービス情報を取得するための情報、および前記番組関連サービス情報に対応するサービスを取得することができる条件に関する情報などを多重した番組および／または前記番組選択情報を、前記放送電波や前記インターネットなどを介して配信する配信手段を備え、
前記番組受信装置は、
前記番組配信装置から前記放送電波や前記インターネットなどを介して配信される、前記番組関連情報や前記番組関連サービス情報を取得するための情報、および前記番組関連サービス情報に対応するサービスを取得することができる条件に関する情報などが多重された番組および／または前記番組選択情報を受信する受信手段と、
前記受信手段において受信した番組を処理するとともに、過去に実施した番組のコピー回数および過去に取得した該番組に関連するサービスなどに基づく情報であるサービス取得履歴に関する情報を前記番組識別情報と対応付けて保持する番組処理手段と、
前記受信手段において受信した前記番組選択情報を処理して番組を選択するための情報を抽出するとともに、前記番組識別情報、前記番組関連サービス情報に対応するサービスを取得することができる条件に関する情報、および前記番組関連情報や前記番組関連サービス情報を取得するための情報などを抽出する番組選択情報処理手段と、
前記番組選択情報処理手段により抽出された前記番組識別情報と前記番組関連情報や前記番組関連サービス情報を取得するための情報を対応付けて保持し、対応付けて保持されているこれらの情報を用いて、ユーザにより選択された番組に関連する前記番組関連情報や前記番組関連サービス情報を取得する番組関連情報取得手段と、
前記番組関連情報取得手段により抽出された前記番組識別情報と前記番組関連サービス情報に対応するサービスを取得することができる条件に関する情報を対応付けて保持し、対応付けて保持されているこれらの情報と、前記番組処理手段において保持されている前記サービス取得履歴に関する情報を用いて、前記番組関連情報や前記番組関連サービス情報に対応するサービスを取得することが可能であるか否かを判断する番組関連情報取得条件確認手段を備え、
前記番組関連情報取得条件確認手段において前記番組関連情報や前記番組関連サービス情報に対応するサービスを取得することが可能であると判断された場合は、前記番組関連情報や前記番組関連サービス情報に対応するサービスを取得するとともに、前記番組処理手段は、保持している前記サービス取得履歴に関する情報を、前記番組関連情報や前記番組関連サービス情報に対応するサービスを取得することができる条件に関する情報に対応して更新することを特徴とする番組配信システム。
【請求項２】
前記番組配信装置は、前記番組受信装置において前記サービス取得履歴に関する情報に応じて取得することが可能なサービスに関する情報、すなわち、前記サービス取得履歴に関する情報に応じて実行することが可能な処理に関する情報を生成する番組関連情報処理のための情報生成手段をさらに備え、
前記番組受信装置は、前記番組選択情報処理手段において、前記番組配信装置から番組または前記番組関連情報に多重されて配信された前記番組関連情報処理のための情報生成手段が生成した情報を抽出し、抽出した情報を用いて前記サービス取得履歴に関する情報に応じた実行可能な処理の中から所望の処理を選択し、実行することを特徴とする請求項１記載の番組配信システム。
【請求項３】
前記番組関連情報取得のための情報生成手段は、前記番組関連情報や前記番組関連サービス情報を取得するための複数の異なる情報を生成し、前記番組関連情報取得のための条件生成手段は、前記番組関連情報取得のための情報生成手段が生成する前記番組関連情報や前記番組関連サービス情報を取得するための複数の異なる情報にそれぞれ対応した、前記番組関連情報や前記番組関連サービス情報に対応するサービスを取得することができる条件に関する情報を生成することを特徴とする請求項１または２記載の番組配信システム。
【請求項４】
前記番組受信装置とともに請求項１記載の番組配信システムを構成する番組配信装置であって、
前記番組受信装置において番組を選択するための情報であり、番組を一意に規定する番組識別情報が多重された番組選択情報を生成する番組選択情報生成手段と、
前記番組受信装置において前記番組選択情報を用いて選択された番組に関連する番組関連情報や番組関連サービス情報の有無および前記番組関連情報や前記番組関連サービス情報の格納先など、前記番組関連情報や前記番組関連サービス情報を取得するための情報を生成する番組関連情報取得のための情報生成手段と、
前記番組受信装置において前記番組関連情報や前記番組関連サービス情報を活用して前記番組関連サービス情報に対応するサービスを取得することができる条件に関する情報を生成する番組関連情報取得のための条件生成手段と、
前記番組関連情報や前記番組関連サービス情報を取得するための情報、および前記番組関連サービス情報に対応するサービスを取得することができる条件に関する情報などを多重した番組および／または前記番組選択情報を、前記放送電波や前記インターネットなどを介して配信する配信手段と、
を備えることを特徴とする番組配信装置。
【請求項５】
前記番組受信装置において前記サービス取得履歴に関する情報に応じて取得することが可能なサービスに関する情報、すなわち、前記サービス取得履歴に関する情報に応じて実行することが可能な処理に関する情報を生成する番組関連情報処理のための情報生成手段をさらに備えることを特徴とする請求項４記載の番組配信装置。
【請求項６】
前記番組関連情報取得のための情報生成手段は、前記番組関連情報や前記番組関連サービス情報を取得するための複数の異なる情報を生成し、前記番組関連情報取得のための条件生成手段は、前記番組関連情報取得のための情報生成手段が生成する前記番組関連情報や前記番組関連サービス情報を取得するための複数の異なるそれぞれの情報に対応した、前記番組関連情報や前記番組関連サービス情報に対応するサービスを取得することができる条件に関する情報を生成することを特徴とする請求項４または５記載の番組配信装置。
【請求項７】
前記番組配信装置とともに請求項１記載の番組配信システムを構成する番組受信装置であって、
前記番組配信装置から前記放送電波や前記インターネットなどを介して配信される、前記番組関連情報や前記番組関連サービス情報を取得するための情報、および前記番組関連サービス情報に対応するサービスを取得することができる条件に関する情報などが多重された番組および／または前記番組選択情報を受信する受信手段と、
前記受信手段において受信した番組を処理するとともに、過去に実施した番組のコピー回数および過去に取得した該番組に関連するサービスなどに基づく情報であるサービス取得履歴に関する情報を前記番組識別情報と対応付けて保持する番組処理手段と、
前記受信手段において受信した前記番組選択情報を処理して番組を選択するための情報を抽出するとともに、前記番組識別情報、前記番組関連サービス情報に対応するサービスを取得することができる条件に関する情報、および前記番組関連情報や前記番組関連サービス情報を取得するための情報などを抽出する番組選択情報処理手段と、
前記番組選択情報処理手段により抽出された前記番組識別情報と前記番組関連情報や前記番組関連サービス情報を取得するための情報を対応付けて保持し、対応付けて保持されているこれらの情報を用いて、ユーザにより選択された番組に関連する前記番組関連情報や前記番組関連サービス情報を取得する番組関連情報取得手段と、
前記番組関連情報取得手段により抽出された前記番組識別情報と前記番組関連サービス情報に対応するサービスを取得することができる条件に関する情報を対応付けて保持し、対応付けて保持されているこれらの情報と、前記番組処理手段において保持されている前記サービス取得履歴に関する情報を用いて、前記番組関連情報や前記番組関連サービス情報に対応するサービスを取得することが可能であるか否かを判断する番組関連情報取得条件確認手段を備え、
前記番組関連情報取得条件確認手段において前記番組関連情報や前記番組関連サービス情報に対応するサービスを取得することが可能であると判断された場合は、前記番組関連情報や前記番組関連サービス情報に対応するサービスを取得するとともに、前記番組処理手段は、保持している前記サービス取得履歴に関する情報を、前記番組関連情報や前記番組関連サービス情報に対応するサービスを取得することができる条件に関する情報に対応して更新することを特徴とする番組受信装置。
【請求項８】
前記番組受信装置において前記サービス取得履歴に関する情報に応じて取得することが可能なサービスに関する情報、すなわち、前記サービス取得履歴に関する情報に応じて実行することが可能な処理に関する情報を生成する番組関連情報処理のための情報生成手段をさらに備えた前記番組配信装置から配信を受ける場合、前記番組選択情報処理手段において、前記番組配信装置から番組または前記番組関連情報に多重されて配信された前記番組関連情報処理のための情報生成手段が生成した情報を抽出し、抽出した情報を用いて前記サービス取得履歴に関する情報に応じた実行可能な処理の中から所望の処理を選択し、実行することを特徴とする請求項７記載の番組受信装置。
【請求項９】
放送電波やインターネットなどを介して番組を配信する少なくとも１台の番組配信装置と、前記番組配信装置から前記放送電波や前記インターネットなどを介して番組を受信する少なくとも１台の番組受信装置で構成される番組配信システムであって、
前記番組配信装置は、
前記番組受信装置において番組を選択するための情報であり、番組を一意に規定する番組識別情報が多重された番組選択情報を生成する番組選択情報生成手段と、
前記番組受信装置において前記番組選択情報により選択される番組と関連付けられた他の番組の情報である関連番組情報を生成する関連番組情報生成手段と、
前記番組受信装置において前記番組選択情報により選択された番組を視聴あるいは録画することが可能な条件である番組受信条件に関する情報を、前記関連番組情報と関連付けて生成する番組受信条件生成手段と、
前記関連番組情報および前記番組受信条件に関する情報などが多重された番組あるいは前記番組選択情報を配信する配信手段を備え、
前記番組受信装置は、
前記番組配信装置から前記放送電波や前記インターネットなどを介して配信される、前記関連番組情報および前記番組受信条件に関する情報などが多重された番組および／または前記番組選択情報を受信する受信手段と、
前記受信手段において受信した番組を処理するとともに、過去に実施した番組のコピー回数および過去に取得した該番組に関連するサービスなどに基づく情報であるサービス取得履歴に関する情報を前記番組識別情報と対応付けて保持する番組処理手段と、
前記受信手段において受信した前記番組選択情報を処理して番組を選択するとともに、前記関連番組情報および前記番組受信条件に関する情報などを抽出する番組選択情報処理手段と、
前記番組選択情報処理手段により抽出された前記番組識別情報および前記関連番組情報などの情報を取得し、取得した前記番組識別情報と前記関連番組情報などの情報を対応付けて保存する番組関連情報取得手段と、
前記番組選択情報処理手段により抽出された前記番組識別情報および前記番組受信条件に関する情報などを取得して前記番組識別情報と前記番組受信条件に関する情報などを対応付けて保存し、ユーザが前記番組選択情報を用いて選択した番組の視聴または録画の処理を指示すると、前記番組処理手段に保持されている前記サービス取得履歴に関する情報および自らが保持している前記番組受信条件に関する情報を用いて、前記ユーザが選択した番組の視聴または録画をすることが可能か否かを判断する番組関連情報取得条件確認手段を備え、
前記番組関連情報取得条件確認手段において前記ユーザが選択した番組の視聴または録画をすることが可能であると判断された場合は、前記番組処理手段は、前記ユーザが選択した番組を前記番組選択情報処理手段から受信して再生するとともに、保持している前記サービス取得履歴に関する情報を前記番組受信条件に関する情報に対応して更新することを特徴とする番組配信システム。
【請求項１０】
前記番組配信装置は、前記番組受信装置において前記サービス取得履歴に関する情報に応じて取得することが可能なサービスに関する情報、すなわち、前記サービス取得履歴に関する情報に応じて実行することが可能な処理に関する情報を生成する番組関連情報処理のための情報生成手段をさらに備え、
前記番組受信装置は、前記番組選択情報処理手段において、前記番組配信装置から番組または前記番組関連情報に多重されて配信された前記番組関連情報処理のための情報生成手段が生成した情報を抽出し、抽出した情報を用いて前記サービス取得履歴に関する情報に応じた実行可能な処理の中から所望の処理を選択し、実行することを特徴とする請求項９記載の番組配信システム。
【請求項１１】
前記関連番組情報生成手段は、複数の異なる前記関連番組情報を生成し、前記番組受信条件生成手段は、前記関連番組情報生成手段が生成する複数の異なる前記関連番組情報にそれぞれ対応した、複数の異なる前記番組受信条件を生成することを特徴とする請求項９または１０記載の番組配信システム。
【請求項１２】
前記番組受信装置とともに請求項９記載の番組配信システムを構成する番組配信装置であって、
前記番組受信装置において番組を選択するための情報であり、番組を一意に規定する番組識別情報が多重された番組選択情報を生成する番組選択情報生成手段と、
前記番組受信装置において前記番組選択情報により選択される番組と関連付けられた他の番組の情報である関連番組情報を生成する関連番組情報生成手段と、
前記番組受信装置において前記番組選択情報により選択された番組を視聴あるいは録画することが可能な条件である番組受信条件に関する情報を、前記関連番組情報と関連付けて生成する番組受信条件生成手段と、
前記関連番組情報および前記番組受信条件に関する情報などが多重された番組あるいは前記番組選択情報を配信する配信手段と、
を備えたことを特徴とする番組配信装置。
【請求項１３】
前記番組受信装置において前記サービス取得履歴に関する情報に応じて取得することが可能なサービスに関する情報、すなわち、前記サービス取得履歴に関する情報に応じて実行することが可能な処理に関する情報を生成する番組関連情報処理のための情報生成手段をさらに備えたことを特徴とする請求項１２記載の番組配信装置。
【請求項１４】
前記関連番組情報生成手段は、複数の異なる前記関連番組情報を生成し、前記番組受信条件生成手段は、前記関連番組情報生成手段が生成する複数の異なる前記関連番組情報にそれぞれ対応した、複数の異なる前記番組受信条件を生成することを特徴とする請求項１２または１３記載の番組配信装置。
【請求項１５】
前記番組配信装置とともに請求項９記載の番組配信システムを構成する番組受信装置であって、
前記番組配信装置から前記放送電波や前記インターネットなどを介して配信される、前記関連番組情報および前記番組受信条件に関する情報などが多重された番組および／または前記番組選択情報を受信する受信手段と、
前記受信手段において受信した番組を処理するとともに、過去に実施した番組のコピー回数および過去に取得した該番組に関連するサービスなどに基づく情報であるサービス取得履歴に関する情報を前記番組識別情報と対応付けて保持する番組処理手段と、
前記受信手段において受信した前記番組選択情報を処理して番組を選択するとともに、前記関連番組情報および前記番組受信条件に関する情報などを抽出する番組選択情報処理手段と、
前記番組選択情報処理手段により抽出された前記番組識別情報および前記関連番組情報などの情報を取得し、取得した前記番組識別情報と前記関連番組情報などの情報を対応付けて保存する番組関連情報取得手段と、
前記番組選択情報処理手段により抽出された前記番組識別情報および前記番組受信条件に関する情報などを取得して前記番組識別情報と前記番組受信条件に関する情報などを対応付けて保存し、ユーザが前記番組選択情報を用いて選択した番組の視聴または録画の処理を指示すると、前記番組処理手段に保持されている前記サービス取得履歴に関する情報および自らが保持している前記番組受信条件に関する情報を用いて、前記ユーザが選択した番組の視聴または録画をすることが可能か否かを判断する番組関連情報取得条件確認手段を備え、
前記番組関連情報取得条件確認手段において前記ユーザが選択した番組の視聴または録画をすることが可能であると判断された場合は、前記番組処理手段は、前記ユーザが選択した番組を前記番組選択情報処理手段から受信して再生するとともに、保持している前記サービス取得履歴に関する情報を前記番組受信条件に関する情報に対応して更新することを特徴とする番組受信装置。
【請求項１６】
前記番組受信装置において前記サービス取得履歴に関する情報に応じて取得することが可能なサービスに関する情報、すなわち、前記サービス取得履歴に関する情報に応じて実行することが可能な処理に関する情報を生成する番組関連情報処理のための情報生成手段をさらに備えた前記番組配信装置から配信を受ける場合、前記番組選択情報処理手段において、前記番組配信装置から番組または前記番組関連情報に多重されて配信された前記番組関連情報処理のための情報生成手段が生成した情報を抽出し、抽出した情報を用いて前記サービス取得履歴に関する情報に応じた実行可能な処理の中から所望の処理を選択し、実行することを特徴とする請求項１５記載の番組受信装置。
【発明の詳細な説明】
【技術分野】
【０００１】
本発明は、放送電波やインターネットなどを介して番組（デジタルコンテンツ）を配信する場合の番組配信装置、番組受信装置および番組配信システムに関するものであり、特に著作権保護と番組に関連するサービスの取得に対するユーザの満足度とのバランスを考慮した番組配信装置、番組受信装置および番組配信システムに関する。
【背景技術】
【０００２】
現在、インターネットを用いたコンテンツのダウンロードサービスにおいて、利用者がコンテンツをリムーバブルメディアに記録する際、リムーバブルメディアにレーベル印刷を行うことができるサービスも検討されている。このレーベル印刷のサービスを提供する方法としては、コンテンツをダウンロードする際に、該コンテンツに対応するレーベル情報のインターネット上の格納先に関する情報も一緒に受信し、該コンテンツのダウンロード完了後、自動的に受信したインターネット上の格納先にアクセスして該コンテンツに対応するレーベル情報を入手し、プリンタなどで印刷するという方法が検討されている。
【０００３】
また、デジタル放送においても、上記のような方法を用いてレーベル印刷を行うことができるサービスが検討されており、レーベルデータの印刷回数をカウントし、その印刷回数に基づいてレーベルデータの印刷許可を判断する方法が検討されている。
【０００４】
以下に、特許文献１に開示されている従来の条件付のメディアレーベル配信システムについて説明する。
【０００５】
図７は、特許文献１に開示されているメディアレーベル配信システムを構成するためのメディアレーベル印刷システムの構成を示すブロック図である。
【０００６】
図７において、ネットワークに接続可能なＰＣ（パーソナルコンピュータ）７０２の認識ドライブ（図示せず）には、デジタル放送データを受信する受信制御手段、ＣＡＳ（Ｃｏｎｄｉｔｉｏｎｎａｌ  Ａｃｃｅｓｓ  Ｓｙｓｔｅｍ）および光学ディスク記録手段などを備えるレコーダ（図示せず）において、購入するコンテンツデータやコンテンツ購入証明等が記録された光学ディスク７０１が挿入される。
【０００７】
ＰＣ７０２は、インターネット等の外部ネットワーク７０３に接続されており、光学ディスク７０１に記録されたコンテンツ購入証明を専用ソフトを用いて取り出し、暗号化された状態のまま、外部ネットワーク７０３を介してコンテンツ管理センター７０４に送信する。
【０００８】
コンテンツ管理センター７０４は、ＰＣ７０２から外部ネットワーク７０３を介して送信された暗号化されているコンテンツ購入証明を受信して復号し、復号したコンテンツ購入証明を購入者データベース７０５に記録されている購入者データと照合することで購入者を特定および認証するといった認証作業を実行する。コンテンツ管理センター７０４は、さらに、認証作業によりコンテンツの購入が確認された接続者（コンテンツ購入者）に対して、コンテンツ管理センター７０４において管理しているメディアレーベルファイルの印刷許可を与える。なお、このとき、接続者（コンテンツ購入者）がメディアレーベルを印刷した印刷回数を購入者データベース７０５において保持するようにすれば、接続者からすでに印刷済のメディアレーベルに対する再印刷の申請があった場合に、再印刷に対して課金するか否かを判断するための情報として利用することが可能である。
【０００９】
コンテンツ管理センター７０４からの印刷許可を、外部ネットワーク７０３を介してＰＣ７０２で受け取ったコンテンツ購入者は、購入したコンテンツデータが記録された光学ディスク７０１をプリンタ７０６側にセットし、プリンタ７０６により、光学ディスク７０１のレーベル面にメディアレーベルを印刷し、レーベル印刷済みの光学ディスク７０７を作成する。
【００１０】
一方、国内のデジタル放送における録画については、不正な複製物が沢山生成されないようにとの著作権保護の趣旨から、１回だけ録画（コピー）が可能な、いわゆるコピーワンス方式が採用されている。コピーワンス方式においては、例えば、録画機のハードディスクに受信した放送番組を録画した後にリムーバブルメディアに保存（コピー）する場合、ハードディスクに録画された放送番組をリムーバブルメディアにコピーした後は、ハードディスク内に蓄積された該放送番組は視聴できなくなるようになっている。このため、例えば、ハードディスクからリムーバブルメディアへのコピーに失敗した場合、番組が視聴できなくなるなどのことから、ユーザからは改善を求める声が上がっていた。
【００１１】
このようなユーザからの改善要望に応えるため、国内のデジタル放送における録画については、現在９回までのコピーと１回の移動が可能な方式、いわゆるダビング１０方式の採用が検討されている。このダビング１０方式が採用されると、ユーザは１つの番組を複数の機器に録画することが可能となる。
【００１２】
しかし、番組によっては、１回、多くても２、３回しかコピーしないことが想定される番組もあり、また、放送局や著作権者などにとっては、コピーに関する方式が変わったとしても、なるべくコピー回数を減らしたいという願望がある。
【００１３】
以上のようなユーザの要望と放送局や著作権者などの願望の両方を多少なりとも満たすためには、デジタル放送におけるダビング１０方式において、上記の特許文献１に開示されている従来のメディアレーベル配信システムにおけるメディアレーベルの配信方法（メディアレーベル印刷サービスの提供方法）を適用することが、有効であると考えられる。
【特許文献１】特開２００７−１２８４９１号公報
【発明の開示】
【発明が解決しようとする課題】
【００１４】
しかしながら、特許文献１に開示されている従来のメディアレーベル配信システムにおけるメディアレーベル印刷サービスの提供方法では、メディアレーベルの印刷回数によって印刷の許可を与えているが、印刷回数に対応して許可か不許可の２種類の選択しかなく、柔軟なレーベル印刷サービスを行うことができないという課題があった。
【００１５】
本発明は、このような課題を解決するもので、ダビング１０方式のコピー残回数に応じて受信側での処理内容、例えば、レーベル印刷画像の画質の選択や関連するプレミアムコンテンツの視聴あるいは録画の可否などを、送信側から指示することができ、その結果、ユーザにとっては、コピー残回数に応じて異なる画質のレーベル印刷やプレミアムコンテンツの視聴あるいは録画などが可能になり、放送局や著作権者にとっては、ユーザが受けたサービスに応じてコピー残回数を減じることにより、コピーコンテンツの削減を図ることが可能な番組配信システム、並びに番組配信システムを構成する番組送信装置および番組受信装置を提供することを目的とする。
【課題を解決するための手段】
【００１６】
上記目的を達成するために、本願の第１の発明の番組配信システムは、放送電波やインターネットなどを介して番組を配信する少なくとも１台の番組配信装置と、前記番組配信装置から前記放送電波や前記インターネットなどを介して番組を受信する少なくとも１台の番組受信装置で構成される番組配信システムであって、前記番組配信装置は、前記番組受信装置において番組を選択するための情報であり、番組を一意に規定する番組識別情報が多重された番組選択情報を生成する番組選択情報生成手段と、前記番組受信装置において前記番組選択情報を用いて選択された番組に関連する番組関連情報や番組関連サービス情報の有無および前記番組関連情報や前記番組関連サービス情報の格納先など、前記番組関連情報や前記番組関連サービス情報を取得するための情報を生成する番組関連情報取得のための情報生成手段と、前記番組受信装置において前記番組関連情報や前記番組関連サービス情報を活用して前記番組関連サービス情報に対応するサービスを取得することができる条件に関する情報を生成する番組関連情報取得のための条件生成手段と、前記番組関連情報や前記番組関連サービス情報を取得するための情報、および前記番組関連サービス情報に対応するサービスを取得することができる条件に関する情報などを多重した番組および／または前記番組選択情報を、前記放送電波や前記インターネットなどを介して配信する配信手段を備え、前記番組受信装置は、前記番組配信装置から前記放送電波や前記インターネットなどを介して配信される、前記番組関連情報や前記番組関連サービス情報を取得するための情報、および前記番組関連サービス情報に対応するサービスを取得することができる条件に関する情報などが多重された番組および／または前記番組選択情報を受信する受信手段と、前記受信手段において受信した番組を処理するとともに、過去に実施した番組のコピー回数および過去に取得した該番組に関連するサービスなどに基づく情報であるサービス取得履歴に関する情報を前記番組識別情報と対応付けて保持する番組処理手段と、前記受信手段において受信した前記番組選択情報を処理して番組を選択するための情報を抽出するとともに、前記番組識別情報、前記番組関連サービス情報に対応するサービスを取得することができる条件に関する情報、および前記番組関連情報や前記番組関連サービス情報を取得するための情報などを抽出する番組選択情報処理手段と、前記番組選択情報処理手段により抽出された前記番組識別情報と前記番組関連情報や前記番組関連サービス情報を取得するための情報を対応付けて保持し、対応付けて保持されているこれらの情報を用いて、ユーザにより選択された番組に関連する前記番組関連情報や前記番組関連サービス情報を取得する番組関連情報取得手段と、前記番組関連情報取得手段により抽出された前記番組識別情報と前記番組関連サービス情報に対応するサービスを取得することができる条件に関する情報を対応付けて保持し、対応付けて保持されているこれらの情報と、前記番組処理手段において保持されている前記サービス取得履歴に関する情報を用いて、前記番組関連情報や前記番組関連サービス情報に対応するサービスを取得することが可能であるか否かを判断する番組関連情報取得条件確認手段を備え、前記番組関連情報取得条件確認手段において前記番組関連情報や前記番組関連サービス情報に対応するサービスを取得することが可能であると判断された場合は、前記番組関連情報や前記番組関連サービス情報に対応するサービスを取得するとともに、前記番組処理手段は、保持している前記サービス取得履歴に関する情報を、前記番組関連情報や前記番組関連サービス情報に対応するサービスを取得することができる条件に関する情報に対応して更新することを特徴とするものである。
【００１７】
また、本願の第２の発明の番組配信システムは、本願の第１の発明の番組配信システムにおいて、前記番組配信装置は、前記番組受信装置において前記サービス取得履歴に関する情報に応じて取得することが可能なサービスに関する情報、すなわち、前記サービス取得履歴に関する情報に応じて実行することが可能な処理に関する情報を生成する番組関連情報処理のための情報生成手段をさらに備え、前記番組受信装置は、前記番組選択情報処理手段において、前記番組配信装置から番組または前記番組関連情報に多重されて配信された前記番組関連情報処理のための情報生成手段が生成した情報を抽出し、抽出した情報を用いて前記サービス取得履歴に関する情報に応じた実行可能な処理の中から所望の処理を選択し、実行することを特徴とするものである。
【００１８】
また、本願の第３の発明の番組配信システムは、本願の第１または第２の発明の番組配信システムにおいて、前記番組関連情報取得のための情報生成手段は、前記番組関連情報や前記番組関連サービス情報を取得するための複数の異なる情報を生成し、前記番組関連情報取得のための条件生成手段は、前記番組関連情報取得のための情報生成手段が生成する前記番組関連情報や前記番組関連サービス情報を取得するための複数の異なる情報にそれぞれ対応した、前記番組関連情報や前記番組関連サービス情報に対応するサービスを取得することができる条件に関する情報を生成することを特徴とするものである。
【００１９】
また、本願の第４の発明の番組配信装置は、本願の第１の発明の番組配信システムを構成する番組配信装置であって、前記番組受信装置において番組を選択するための情報であり、番組を一意に規定する番組識別情報が多重された番組選択情報を生成する番組選択情報生成手段と、前記番組受信装置において前記番組選択情報を用いて選択された番組に関連する番組関連情報や番組関連サービス情報の有無および前記番組関連情報や前記番組関連サービス情報の格納先など、前記番組関連情報や前記番組関連サービス情報を取得するための情報を生成する番組関連情報取得のための情報生成手段と、前記番組受信装置において前記番組関連情報や前記番組関連サービス情報を活用して前記番組関連サービス情報に対応するサービスを取得することができる条件に関する情報を生成する番組関連情報取得のための条件生成手段と、前記番組関連情報や前記番組関連サービス情報を取得するための情報、および前記番組関連サービス情報に対応するサービスを取得することができる条件に関する情報などを多重した番組および／または前記番組選択情報を、前記放送電波や前記インターネットなどを介して配信する配信手段と、を備えることを特徴とするものである。
【００２０】
また、本願の第５の発明の番組配信装置は、本願の第４の発明の番組配信装置において、前記番組受信装置において前記サービス取得履歴に関する情報に応じて取得することが可能なサービスに関する情報、すなわち、前記サービス取得履歴に関する情報に応じて実行することが可能な処理に関する情報を生成する番組関連情報処理のための情報生成手段をさらに備えることを特徴とするものである。
【００２１】
また、本願の第６の発明の番組配信装置は、本願の第４または第５の発明の番組配信装置において、前記番組関連情報取得のための情報生成手段は、前記番組関連情報や前記番組関連サービス情報を取得するための複数の異なる情報を生成し、前記番組関連情報取得のための条件生成手段は、前記番組関連情報取得のための情報生成手段が生成する前記番組関連情報や前記番組関連サービス情報を取得するための複数の異なるそれぞれの情報に対応した、前記番組関連情報や前記番組関連サービス情報に対応するサービスを取得することができる条件に関する情報を生成することを特徴とするものである。
【００２２】
また、本願の第７の発明の番組受信装置は、本願の第１の発明の番組配信システムを構成する番組受信装置であって、前記番組配信装置から前記放送電波や前記インターネットなどを介して配信される、前記番組関連情報や前記番組関連サービス情報を取得するための情報、および前記番組関連サービス情報に対応するサービスを取得することができる条件に関する情報などが多重された番組および／または前記番組選択情報を受信する受信手段と、前記受信手段において受信した番組を処理するとともに、過去に実施した番組のコピー回数および過去に取得した該番組に関連するサービスなどに基づく情報であるサービス取得履歴に関する情報を前記番組識別情報と対応付けて保持する番組処理手段と、前記受信手段において受信した前記番組選択情報を処理して番組を選択するための情報を抽出するとともに、前記番組識別情報、前記番組関連サービス情報に対応するサービスを取得することができる条件に関する情報、および前記番組関連情報や前記番組関連サービス情報を取得するための情報などを抽出する番組選択情報処理手段と、前記番組選択情報処理手段により抽出された前記番組識別情報と前記番組関連情報や前記番組関連サービス情報を取得するための情報を対応付けて保持し、対応付けて保持されているこれらの情報を用いて、ユーザにより選択された番組に関連する前記番組関連情報や前記番組関連サービス情報を取得する番組関連情報取得手段と、前記番組関連情報取得手段により抽出された前記番組識別情報と前記番組関連サービス情報に対応するサービスを取得することができる条件に関する情報を対応付けて保持し、対応付けて保持されているこれらの情報と、前記番組処理手段において保持されている前記サービス取得履歴に関する情報を用いて、前記番組関連情報や前記番組関連サービス情報に対応するサービスを取得することが可能であるか否かを判断する番組関連情報取得条件確認手段を備え、前記番組関連情報取得条件確認手段において前記番組関連情報や前記番組関連サービス情報に対応するサービスを取得することが可能であると判断された場合は、前記番組関連情報や前記番組関連サービス情報に対応するサービスを取得するとともに、前記番組処理手段は、保持している前記サービス取得履歴に関する情報を、前記番組関連情報や前記番組関連サービス情報に対応するサービスを取得することができる条件に関する情報に対応して更新することを特徴とするものである。
【００２３】
また、本願の第８の発明の番組受信装置は、本願の第７の発明の番組受信装置において、前記番組受信装置において前記サービス取得履歴に関する情報に応じて取得することが可能なサービスに関する情報、すなわち、前記サービス取得履歴に関する情報に応じて実行することが可能な処理に関する情報を生成する番組関連情報処理のための情報生成手段をさらに備えた前記番組配信装置から配信を受ける場合、前記番組選択情報処理手段において、前記番組配信装置から番組または前記番組関連情報に多重されて配信された前記番組関連情報処理のための情報生成手段が生成した情報を抽出し、抽出した情報を用いて前記サービス取得履歴に関する情報に応じた実行可能な処理の中から所望の処理を選択し、実行することを特徴とするものである。
【００２４】
また、本願の第９の発明の番組配信システムは、放送電波やインターネットなどを介して番組を配信する少なくとも１台の番組配信装置と、前記番組配信装置から前記放送電波や前記インターネットなどを介して番組を受信する少なくとも１台の番組受信装置で構成される番組配信システムであって、前記番組配信装置は、前記番組受信装置において番組を選択するための情報であり、番組を一意に規定する番組識別情報が多重された番組選択情報を生成する番組選択情報生成手段と、前記番組受信装置において前記番組選択情報により選択される番組と関連付けられた他の番組の情報である関連番組情報を生成する関連番組情報生成手段と、前記番組受信装置において前記番組選択情報により選択された番組を視聴あるいは録画することが可能な条件である番組受信条件に関する情報を、前記関連番組情報と関連付けて生成する番組受信条件生成手段と、前記関連番組情報および前記番組受信条件に関する情報などが多重された番組あるいは前記番組選択情報を配信する配信手段を備え、前記番組受信装置は、前記番組配信装置から前記放送電波や前記インターネットなどを介して配信される、前記関連番組情報および前記番組受信条件に関する情報などが多重された番組および／または前記番組選択情報を受信する受信手段と、前記受信手段において受信した番組を処理するとともに、過去に実施した番組のコピー回数および過去に取得した該番組に関連するサービスなどに基づく情報であるサービス取得履歴に関する情報を前記番組識別情報と対応付けて保持する番組処理手段と、前記受信手段において受信した前記番組選択情報を処理して番組を選択するとともに、前記関連番組情報および前記番組受信条件に関する情報などを抽出する番組選択情報処理手段と、前記番組選択情報処理手段により抽出された前記番組識別情報および前記関連番組情報などの情報を取得し、取得した前記番組識別情報と前記関連番組情報などの情報を対応付けて保存する番組関連情報取得手段と、前記番組選択情報処理手段により抽出された前記番組識別情報および前記番組受信条件に関する情報などを取得して前記番組識別情報と前記番組受信条件に関する情報などを対応付けて保存し、ユーザが前記番組選択情報を用いて選択した番組の視聴または録画の処理を指示すると、前記番組処理手段に保持されている前記サービス取得履歴に関する情報および自らが保持している前記番組受信条件に関する情報を用いて、前記ユーザが選択した番組の視聴または録画をすることが可能か否かを判断する番組関連情報取得条件確認手段を備え、前記番組関連情報取得条件確認手段において前記ユーザが選択した番組の視聴または録画をすることが可能であると判断された場合は、前記番組処理手段は、前記ユーザが選択した番組を前記番組選択情報処理手段から受信して再生するとともに、保持している前記サービス取得履歴に関する情報を前記番組受信条件に関する情報に対応して更新することを特徴とするものである。
【００２５】
また、本願の第１０の発明の番組配信システムは、本願の第９の発明の番組配信システムにおいて、前記番組配信装置は、前記番組受信装置において前記サービス取得履歴に関する情報に応じて取得することが可能なサービスに関する情報、すなわち、前記サービス取得履歴に関する情報に応じて実行することが可能な処理に関する情報を生成する番組関連情報処理のための情報生成手段をさらに備え、前記番組受信装置は、前記番組選択情報処理手段において、前記番組配信装置から番組または前記番組関連情報に多重されて配信された前記番組関連情報処理のための情報生成手段が生成した情報を抽出し、抽出した情報を用いて前記サービス取得履歴に関する情報に応じた実行可能な処理の中から所望の処理を選択し、実行することを特徴とするものである。
【００２６】
また、本願の第１１の発明の番組配信システムは、本願の第９または１０の発明の番組配信システムにおいて、前記関連番組情報生成手段は、複数の異なる前記関連番組情報を生成し、前記番組受信条件生成手段は、前記関連番組情報生成手段が生成する複数の異なる前記関連番組情報にそれぞれ対応した、複数の異なる前記番組受信条件を生成することを特徴とするものである。
【００２７】
また、本願の第１２の発明の番組配信装置は、本願の第９の発明の番組配信システムを構成する番組配信装置であって、前記番組受信装置において番組を選択するための情報であり、番組を一意に規定する番組識別情報が多重された番組選択情報を生成する番組選択情報生成手段と、前記番組受信装置において前記番組選択情報により選択される番組と関連付けられた他の番組の情報である関連番組情報を生成する関連番組情報生成手段と、前記番組受信装置において前記番組選択情報により選択された番組を視聴あるいは録画することが可能な条件である番組受信条件に関する情報を、前記関連番組情報と関連付けて生成する番組受信条件生成手段と、前記関連番組情報および前記番組受信条件に関する情報などが多重された番組あるいは前記番組選択情報を配信する配信手段と、を備えたことを特徴とするものである。
【００２８】
また、本願の第１３の発明の番組配信装置は、本願の第１２の番組配信装置において、
前記番組受信装置において前記サービス取得履歴に関する情報に応じて取得することが可能なサービスに関する情報、すなわち、前記サービス取得履歴に関する情報に応じて実行することが可能な処理に関する情報を生成する番組関連情報処理のための情報生成手段をさらに備えたことを特徴とするものである。
【００２９】
また、本願の第１４の発明の番組配信装置は、本願の第１２または第１３の番組配信装置において、前記関連番組情報生成手段は、複数の異なる前記関連番組情報を生成し、前記番組受信条件生成手段は、前記関連番組情報生成手段が生成する複数の異なる前記関連番組情報にそれぞれ対応した、複数の異なる前記番組受信条件を生成することを特徴とするものである。
【００３０】
また、本願の第１５の発明の番組受信装置は、本願の第９の発明の番組配信システムを構成する番組受信装置であって、前記番組配信装置から前記放送電波や前記インターネットなどを介して配信される、前記関連番組情報および前記番組受信条件に関する情報などが多重された番組および／または前記番組選択情報を受信する受信手段と、前記受信手段において受信した番組を処理するとともに、過去に実施した番組のコピー回数および過去に取得した該番組に関連するサービスなどに基づく情報であるサービス取得履歴に関する情報を前記番組識別情報と対応付けて保持する番組処理手段と、前記受信手段において受信した前記番組選択情報を処理して番組を選択するとともに、前記関連番組情報および前記番組受信条件に関する情報などを抽出する番組選択情報処理手段と、前記番組選択情報処理手段により抽出された前記番組識別情報および前記関連番組情報などの情報を取得し、取得した前記番組識別情報と前記関連番組情報などの情報を対応付けて保存する番組関連情報取得手段と、前記番組選択情報処理手段により抽出された前記番組識別情報および前記番組受信条件に関する情報などを取得して前記番組識別情報と前記番組受信条件に関する情報などを対応付けて保存し、ユーザが前記番組選択情報を用いて選択した番組の視聴または録画の処理を指示すると、前記番組処理手段に保持されている前記サービス取得履歴に関する情報および自らが保持している前記番組受信条件に関する情報を用いて、前記ユーザが選択した番組の視聴または録画をすることが可能か否かを判断する番組関連情報取得条件確認手段を備え、前記番組関連情報取得条件確認手段において前記ユーザが選択した番組の視聴または録画をすることが可能であると判断された場合は、前記番組処理手段は、前記ユーザが選択した番組を前記番組選択情報処理手段から受信して再生するとともに、保持している前記サービス取得履歴に関する情報を前記番組受信条件に関する情報に対応して更新することを特徴とするものである。
【００３１】
また、本願の第１６の発明の番組受信装置は、本願の第１５の発明の番組受信装置において、前記サービス取得履歴に関する情報に応じて取得することが可能なサービスに関する情報、すなわち、前記サービス取得履歴に関する情報に応じて実行することが可能な処理に関する情報を生成する番組関連情報処理のための情報生成手段をさらに備えた前記番組配信装置から配信を受ける場合、前記番組選択情報処理手段において、前記番組配信装置から番組または前記番組関連情報に多重されて配信された前記番組関連情報処理のための情報生成手段が生成した情報を抽出し、抽出した情報を用いて前記サービス取得履歴に関する情報に応じた実行可能な処理の中から所望の処理を選択し、実行することを特徴とするものである。
【発明の効果】
【００３２】
本発明によれば、番組毎に過去に実施した番組のコピー回数および過去に取得した該番組に関連するサービスなどに基づく情報であるサービス取得履歴に関する情報に応じて、番組受信装置側で取得可能なサービス内容や処理可能な内容、例えば、レーベル印刷画像の画質の選択や関連するプレミアムコンテンツの視聴あるいは録画の可否などを、番組送信装置側から指示あるいはコントロールすることができ、ユーザにとっては、サービス取得履歴に関する情報に応じて異なるグレイドあるいは種類による柔軟なサービスを取得することが可能となり、放送局や著作権者にとっては、ユーザに対してサービス取得履歴に関する情報に応じた柔軟なサービスを提供することができるとともに、ユーザが取得したサービスに応じてサービス取得履歴に関する情報を更新することによりコピーコンテンツの削減を図ることが可能となる。
【発明を実施するための最良の形態】
【００３３】
以下に、本発明を実施するための最良の形態について、図面を参照しながら説明する。
【００３４】
（実施の形態１）
図１は、本発明の実施の形態１における番組配信システムの構成を示すブロック図である。
【００３５】
はじめに、ダビング１０方式のデジタル放送を録画する場合について説明する。
【００３６】
図１において、放送局などに設置される番組配信装置１１００は、放送する番組が蓄積されている番組蓄積手段１１０１、番組を選択するための情報であり、番組を一意に規定する番組識別情報が多重されている電子番組表（Ｅｌｅｃｔｒｏｎｉｃ  Ｐｒｏｇｒａｍ  Ｇｕｉｄｅ；以下、ＥＰＧと称す）などを生成する番組選択情報生成手段１１０２、番組関連情報取得のための情報生成手段１１０３、番組関連情報取得のための条件生成手段１１０４、番組関連情報処理のための情報生成手段１１０５および配信手段１１０６を備えている。なお、番組蓄積手段１１０１は、すでに収録済みの番組を蓄積しているだけでなく、撮影用カメラやマイクで収録されている生放送の信号が一時的に格納される場合もある。また、番組配信装置１１００における上記の各構成ブロックは、一般的には番組配信装置１１００全体を制御する制御手段Ｈ（図示せず）により、各々の処理動作やブロック間の連携動作などを制御されるように構成される。このことは、後述する番組配信装置１１５０についても同様である。
【００３７】
以上のように構成された番組配信装置１１００は、番組蓄積手段１１０１に蓄積された番組を配信手段１１０６から配信するとともに、番組選択情報生成手段１１０２で生成されたＥＰＧなどの番組関連情報を周期的に配信手段１１０６から配信する。なお、配信手段１１０６は、現行のデジタル放送においては変調器や増幅器などの装置で構成されるが、ＩＰ放送などにおいてはルータなどの装置で構成されることが多く、配信手段１１０６の構成については特に限定するものではない。
【００３８】
一方、番組受信装置１２００は、受信手段１２０１、番組選択情報処理手段１２０２、番組関連情報取得条件確認手段１２０３、番組関連情報取得手段１２０４、番組処理手段１２０５、番組蓄積手段１２０６およびリムーバブルメディア処理手段１２０７を備えており、ユーザがリモコン（図示せず）などの入力手段を用い、番組配信装置１１００から送信されてきたＥＰＧ情報を活用して所望の番組を選択すると、番組選択情報処理手段１２０２は、番組配信装置１１００から配信された番組の中からユーザが選択した番組を受信手段１２０１を制御して受信し、受信したユーザが選択した番組を番組処理手段１２０５に送信する。番組処理手段１２０５は、番組選択情報処理手段１２０２から受信した番組データのデコード処理などを行い、デコード処理した番組データなどを番組蓄積手段１２０６に送信して蓄積（録画）するとともに、過去に実施した番組のコピー回数および過去に取得した該番組に関連するサービスなどに基づく情報であるサービス取得履歴に関する情報、例えば、ダビング１０方式におけるコピー残回数を該番組の番組識別情報と対応付けて保存する。なお、番組受信装置１２００における上記の各構成ブロックは、番組配信装置１１００の場合と同様に、一般的には番組受信装置１２００全体を制御する制御手段Ｊ（図示せず）により、各々の処理動作やブロック間の連携動作などを制御されるように構成される。
【００３９】
次に、番組配信装置１１００から配信された番組を受信して番組蓄積手段１２０６に録画した番組を、リムーバブルメディア１７００にコピーする場合について説明する。
【００４０】
ユーザがリモコン（図示せず）などの入力手段を用いて所望の番組の「コピー」の要求をすると、番組処理手段１２０５は、まず、番組蓄積手段１２０６に蓄積されている番組の中から、ユーザが指定（所望）した番組に関する番組情報を読み出す。なお、ここで言う番組情報とは、社団法人電波産業会（以下、ＡＲＩＢと称す）で規定された、ＭＰＥＧ２  Ｔｒａｎｓｐｏｒｔ  Ｓｔｒｅａｍ（以下、ＴＳと称す）の番組マップ情報（Ｐｒｏｇｒａｍ  Ｍａｐ  Ｔａｂｌｅ；以下、ＰＭＴと称す）に記載されているデジタルコピー制御記述子を表す。
【００４１】
ここで、図２において、（イ）にＰＭＴの抜粋を、また（ロ）にデジタルコピー制御記述子の抜粋を示す。なお、図２は、ＰＭＴおよびデジタルコピー制御記述子の一部を示す図である。
【００４２】
デジタルコピー制御記述子を多重する箇所としては、ＰＭＴの第１ループ（図２の（イ）に示す（Ａ））に多重するのが一般的であるが、ＰＭＴの第２ループ（図２の（イ）に示す（Ｂ））に多重することも可能である。
【００４３】
なお、デジタルコピー制御記述子は、ＡＲＩＢで規定されているイベント情報テーブル（Ｅｖｅｎｔ＿Ｉｎｆｏｒｍａｔｉｏｎ＿Ｔａｂｌｅ；以下、ＥＩＴと称す）にも記載されているが、ここではＰＭＴを用いて説明する。
【００４４】
番組処理手段１２０５は、読み出したユーザが所望した番組に関する番組情報を用いて、コピーする番組がコピー可能であるか否か、すなわちダビング１０方式対応の番組であるか否かを確認するために、デジタルコピー記述子のｄｉｇｉｔａｌ＿ｒｅｃｏｄｉｎｇ＿ｃｏｎｔｒｏｌ＿ｄａｔａ（図２の（ロ）に示す（Ｃ））とｃｏｐｙ＿ｃｏｎｔｒｏｌ＿ｔｙｐｅ（図２の（ロ）に示す（Ｄ））をチェックする。チェックした結果、ｄｉｇｉｔａｌ＿ｒｅｃｏｄｉｎｇ＿ｃｏｎｔｒｏｌ＿ｄａｔａ（Ｃ）が１０で、且つｃｏｐｙ＿ｃｏｎｔｒｏｌ＿ｔｙｐｅ（Ｄ）が０１であれば、番組処理手段１２０５は、ユーザから「コピー」の要求があった番組はダビング１０方式対応のコンテンツであると判断し、番組蓄積手段１２０６に蓄積されているユーザから「コピー」の要求があった番組を、リムーバブルメディア処理手段１２０７にセットされたリムーバブルメディア１７００に対してコピーを行うとともに、コピー残回数を１回減じて、例えば、コピー残回数が８（残り８回コピー可能）の情報を保存する。
【００４５】
次に、サービス取得履歴に関する情報であるダビング１０方式におけるコピー残回数を活用してレーベル印刷を行う場合の動作について、引き続き図１を用いて説明する。
【００４６】
図１において、番組配信装置１１００の関連情報取得のための情報生成手段１１０３は、番組選択情報を用いてユーザにより選択された番組に関連する番組関連サービス情報、例えば、番組毎にレーベル印刷サービスが有るか否かを示すレーベル印刷サービス有無情報、および番組関連情報、例えば、レーベル印刷サービスが有る番組については、各番組に対応するレーベル情報のネットワーク上での格納先を示すＵＲＬ（Ｕｎｉｆｏｒｍ  Ｒｅｓｏｕｒｃｅ  Ｌｏｃａｔｏｒ）等の情報を生成し、番組選択情報生成手段１１０２に送信する。
【００４７】
また、番組関連情報取得のための条件生成手段１１０４は、該番組関連情報や該番組関連サービス情報を活用して該番組関連サービス情報に対応するサービスを取得することができる条件に関する情報、例えば、ユーザが番組受信装置１２００においてダビング１０方式のコンテンツをコピーしたリムーバブルメディア１７００に対してレーベル印刷を行う場合、レーベル印刷を行うことができる条件としてダビング１０方式のコンテンツにおける必要なコピー残回数に関する情報を生成し、生成した必要なコピー残回数に関する情報を番組選択情報生成手段１１０２に送信する。
【００４８】
番組選択情報生成手段１１０２は、ＥＰＧ情報に、番組関連情報取得のための情報生成手段１１０３から受信した各番組のレーベル印刷サービスの有無情報とレーベル情報の格納先ＵＲＬ、および番組関連情報取得のための条件生成手段１１０４から受信した必要なコピー残回数に関する情報を多重し、配信手段１１０６から番組受信装置１２００に対して配信する。
【００４９】
なお、ここでは、レーベル情報の格納先ＵＲＬや必要なコピー残回数に関する情報などを多重するＥＰＧ情報における箇所については、特に規定しない。
【００５０】
また、格納先ＵＲＬや必要なコピー残回数に関する情報などは、ＥＰＧ情報に多重することに限るものではなく、例えば、ＰＭＴ内に多重してもかまわず、多重先は番組を特定できる情報と関連付けられていれば特に限定するものではないが、ここではＥＰＧ情報に多重された場合を例に挙げて説明する。
【００５１】
番組受信装置１２００において、ユーザがＥＰＧ情報を活用して所望の番組を選択すると、番組選択情報処理手段１２０２は、ＥＰＧ情報に多重され番組を一意に規定できる番組識別情報（例えば、ＡＲＩＢで規定されているＮｅｔｗｏｒｋ  ＩＤ、ＴＳＩＤおよびＳｅｒｖｉｃｅ  ＩＤなど）と必要なコピー残回数に関する情報を抽出し、抽出したそれらの情報を番組関連情報取得条件確認手段１２０３に送信する。番組関連情報取得条件確認手段１２０３は、番組選択情報処理手段１２０２から受信した番組識別情報と必要なコピー残回数に関する情報を対応付けて（ペアリングして）保存する。
【００５２】
また、ユーザがＥＰＧ情報を活用して選択した所望の番組にレーベル印刷サービスが存在する場合、番組選択情報処理手段１２０２は、番組識別情報とレーベル情報格納先ＵＲＬを抽出し、抽出した番組識別情報とレーベル情報格納先ＵＲＬを番組関連情報取得手段１２０４に送信する。番組関連情報取得手段１２０４は、番組選択情報処理手段１２０２から受信した番組識別情報とレーベル格納先ＵＲＬを対応付けて保存する。
【００５３】
なお、ユーザが所望の番組を番組蓄積手段１２０６に蓄積（録画）する場合、および番組蓄積手段１２０６に録画した番組をリムーバブルメディア１７００にコピーする場合の処理については、上述した番組蓄積手段１２０６に録画する場合、および録画した番組をリムーバブルメディア１７００にコピーする場合の処理と同じなので、ここでは説明を省略する。
【００５４】
次に、図１および図３を用いて、ユーザが、サービス取得履歴に関する情報であるコピー残回数に応じて、レーベル印刷を行う場合の番組受信装置１２００における処理の流れを説明する。なお、図３は、本発明の実施の形態１に係る番組受信装置におけるレーベル印刷の処理の流れを示す図である。
【００５５】
まず、ユーザが、所望の番組（以下、番組（Ａ）と称す）をコピーしたリムーバブルメディア１７００にレーベル印刷をするために、入力手段（図示せず）を用いてレーベル印刷処理を選択する（Ｓ３０１）と、番組処理手段１２０５は、番組関連情報取得条件確認手段１２０３において番組（Ａ）のレーベル印刷条件が保存されているか否か、すなわち、レーベル印刷のサービスが有りか無しかを確認する（Ｓ３０２）。確認した結果、レーベル印刷のサービスが無しの場合（ステップＳ３０２におけるＮＯの場合）、レーベル印刷が不可であることを示す表示を、ＴＶ（Ｔｅｌｅｖｉｓｉｏｎ）などの表示手段（表示せず）に表示してユーザに知らせ、処理を終了する（Ｓ３１１）。また、確認した結果、レーベル印刷のサービスが有りの場合（ステップＳ３０２におけるＹＥＳの場合）、番組処理手段１２０５は、レーベルを印刷するために必要なコピー残回数に関する情報を番組関連情報取得条件確認手段１２０３から読み出し、必要なコピー残回数を確認する（Ｓ３０３）。
【００５６】
次に、番組処理手段１２０５は、自身が保存している番組（Ａ）のコピー残回数を読み出し（Ｓ３０４）、番組関連情報取得条件確認手段１２０３から読み出したレーベルを印刷するために必要なコピー残回数と比較してコピー残回数に問題が無いか否かを確認する（Ｓ３０５）。
【００５７】
確認した結果、番組（Ａ）のコピー残回数が必要なコピー残回数を下回っている場合（ステップＳ３０５におけるＮＯの場合）、レーベル印刷が不可であることを示す表示を、ＴＶなどの表示手段（図示せず）に表示してユーザに知らせ、処理を終了する（Ｓ３１１）。
【００５８】
確認した結果、番組（Ａ）のコピー残回数が必要なコピー残回数以上である場合（ステップＳ３０５におけるＹＥＳの場合）、番組関連情報取得手段１２０４は、自身に格納されている番組（Ａ）のレーベル情報格納先ＵＲＬを読み出し（Ｓ３０６）、宅内ネットワーク１３００および宅外ネットワーク１５００経由で番組（Ａ）のレーベル情報格納先ＵＲＬが示すレーベルサーバ１６００にアクセスして（Ｓ３０７）、番組（Ａ）のレーベル情報のデータを取得する（Ｓ３０８）。番組関連情報取得手段１２０４は、さらに、宅内ネットワーク１３００およびインターネットなどの宅外ネットワーク１５００経由でレーベルサーバ１６００から取得した番組（Ａ）のレーベル情報のデータを、番組（Ａ）をコピーしたリムーバブルメディア１７００がセットされたプリンタ１４００に対し、宅内ネットワーク１３００を介してレーベル印刷実施命令を送信してレーベル印刷を実施する（Ｓ３０９）とともに、番組処理手段１２０５において保存されているサービス取得履歴に関する情報であるコピー残回数を示す数値から、関連サービス情報に対応するサービスを取得することができる条件に関する情報であるレーベル印刷に必要なコピー残回数を示す数値を減じ、減算して得られた数値を新たなコピー残回数（更新されたコピー残回数）として番組処理手段１２０５に保存し（Ｓ３１０）、レーベル印刷処理を終了する（Ｓ３１１）。例えば、番組処理手段１２０５に保存されていたコピー残回数を示す数値が８で、レーベル印刷に必要なコピー残回数を示す数値が３だとすると、レーベル印刷処理後の番組処理手段１２０５における新たなコピー残回数を示す数値は５として保存される。
【００５９】
また、番組配信装置１１００における番組関連情報処理のための情報生成手段１１０５が、番組受信装置１２００においてコピー残回数に応じて実行することができる処理に関する情報を生成し、生成した情報を番組選択情報生成手段１１０２でＥＰＧ情報に多重して配信手段１１０６から送信することにより、番組受信装置１２００におけるレーベル印刷以外のサービスに対する処理についても指定することが可能となる。この場合の処理内容は、番組配信装置１１００と番組受信装置１２００との間であらかじめ決めておくことで対応が可能である。例えば、番組関連情報処理のための情報生成手段１１０５が生成する情報を示すデータが２ｂｉｔであるとした場合、００＝レーベル印刷、０１＝他のサービスと交換可能なポイント還元、１０＝プレミアムコンテンツ受信、１１＝レーベル印刷あるいはポイント還元あるいはプレミアムコンテンツ受信から選択可能、などと取り決めておくことで対応が可能である。
【００６０】
以上のように構成することにより、ユーザが番組受信装置１２００を用いてサービス取得履歴に関する情報であるコピー残回数に応じて取得できるサービスの取得条件および処理内容を、番組配信装置１１００側で制御することが可能となる。また、ユーザがレーベル印刷サービス、およびレーベル印刷以外のプレミアムコンテンツの視聴などのサービスを選択して利用できるなど、柔軟なサービスを提供することが可能となる。
【００６１】
なお、本発明の実施の形態１においては、番組受信装置１２００が宅内ネットワーク１３００および宅外ネットワーク１５００を介してレーベルサーバ１６００からレーベル情報を取得する例を示したが、番組受信装置１２００から宅内ネットワーク１３００を介してプリンタ１４００にレーベル情報格納先ＵＲＬを送信し、プリンタ１４００がレーベル情報の取得からレーベル印刷までを行うようにしてもよい。
【００６２】
また、本発明の実施の形態１においては、説明を簡単にするため、番組受信装置１２００は図１に示すように１台の場合を例に挙げて説明したが、１台の番組配信装置１１００に対して多数の番組受信装置１２００が配置されているのが一般的である。このことは、後述する本発明の実施の形態２および３においても同様である。
【００６３】
また、本発明の実施の形態１においては、説明を簡単にするため、番組受信装置１２００は図１に示すように１台の番組配信装置１１００から番組の配信を受ける場合を例に挙げて説明したが、複数の番組配信装置１１００から番組の配信を受けることも可能である。このことは、後述する本発明の実施の形態２および３においても同様である。
【００６４】
（実施の形態２）
図１は、本発明の実施の形態２に係る番組配信システムの構成を示すブロック図でもある。また、図４は、本発明の実施の形態２に係る番組受信装置におけるレーベル印刷の処理の流れを示す図である。以下に、図１および図４を用いて、サービス取得履歴に関する情報であるコピー残回数に応じてレーベル印刷の画質を変更する場合の処理について説明する。
【００６５】
図１において、番組配信装置１１００の番組関連情報取得のための情報生成手段１１０３は、番組（Ａ）に関するネットワーク上のレーベル情報格納先を示すＵＲＬとして、複数の異なるレーベル画質にそれぞれ対応した複数のＵＲＬを生成し、生成した複数の異なるレーベル画質にそれぞれ対応した複数のレーベル情報格納先を示すＵＲＬを番組選択情報生成手段１１０２に送信する。また、番組関連情報取得のための条件生成手段１１０４は、番組関連情報取得のための情報生成手段１１０３で生成された複数の異なるレーベル画質に対応した複数のレーベル情報格納先を示すＵＲＬにそれぞれ対応する複数の必要なコピー残回数に関する情報を生成し、生成した複数の必要なコピー残回数に関する情報を番組選択情報生成手段１１０２に送信する。
【００６６】
番組選択情報生成手段１１０２は、番組関連情報取得のための情報生成手段１１０３で生成された複数のレーベル情報格納先を示すＵＲＬと、番組関連情報取得のための条件生成手段１１０４において生成された複数の必要なコピー残回数に関する情報をそれぞれ対応付け、それぞれ対応付けた情報を自身が生成するＥＰＧ情報に多重し、多重したそれらの情報を配信手段１１０６から番組受信装置１２００に対して送信する。なお、複数のレーベル情報格納先を示すＵＲＬと複数の必要なコピー残回数を対応付ける方法としては、記述順などがあるが、特に規定するものではない。
【００６７】
次に、図４を用いて、コピー残回数に応じてレーベル印刷の画質を変更する場合の番組受信装置１２００における処理の流れを説明する。
【００６８】
まず、ユーザが入力手段（図示せず）を用いてレーベル印刷処理を選択する（Ｓ４０１）と、番組処理手段１２０５は、番組関連情報取得条件確認手段１２０３において番組（Ａ）のレーベル印刷条件が保存されているか否か、すなわち、レーベル印刷のサービスが有りか無しかを確認する（Ｓ４０２）。確認した結果、レーベル印刷のサービスが無しの場合（ステップＳ４０２におけるＮＯの場合）、レーベル印刷が不可であることを示す表示を、ＴＶなどの表示手段（表示せず）に表示してユーザに知らせ、処理を終了する（Ｓ４１２）。また、確認した結果、レーベル印刷のサービスが有りの場合（ステップＳ４０２におけるＹＥＳの場合）、番組処理手段１２０５は、番組関連情報取得条件確認手段１２０３からレーベル画質に応じて異なる複数のレーベルを印刷するために必要なコピー残回数に関する情報を読み出し、必要なコピー残回数を確認する（Ｓ４０３）。
【００６９】
次に、番組処理手段１２０５は、自身が保存している番組（Ａ）のコピー残回数を読み出し（Ｓ４０４）、番組関連情報取得条件確認手段１２０３から番組関連情報取得条件確認手段１２０３が保存している複数の異なるレーベル画質に対応したレーベルをそれぞれ印刷するための複数の必要なコピー残回数を順次読み出して比較し、コピー残回数に問題が有るか否かを確認する（Ｓ４０５）。
【００７０】
確認した結果、番組（Ａ）のコピー残回数がすべての必要なコピー残回数を下回っている場合（ステップＳ４０５におけるＮＯの場合）、レーベル印刷が不可であることを示す表示を、ＴＶなどの表示手段（図示せず）に表示してユーザに知らせ、処理を終了させる（Ｓ４１２）。
【００７１】
確認した結果、番組（Ａ）のコピー残回数が少なくとも１つの必要なコピー残回数以上である場合（ステップＳ４０５におけるＹＥＳの場合）、番組関連情報取得手段１２０４は、番組（Ａ）のコピー残回数以下である少なくとも１つの必要なコピー残回数のうち、最も回数が多い、すなわち、レーベル画像の画質が最もよい必要なコピー残回数を選択し（Ｓ４０６）、選択した必要なコピー残回数に対応付けられている、自身に格納されている番組（Ａ）のレーベル情報格納先ＵＲＬを読み出し（Ｓ４０７）、宅内ネットワーク１３００および宅外ネットワーク１５００経由で番組（Ａ）のレーベル情報格納先ＵＲＬが示すレーベルサーバ１６００にアクセスして（Ｓ４０８）、番組（Ａ）のレーベル情報のデータを取得する（Ｓ４０９）。番組関連情報取得手段１２０４は、さらに、宅内ネットワーク１３００および宅外ネットワーク１５００経由でレーベルサーバ１６００から取得した番組（Ａ）のレーベル情報のデータを、番組（Ａ）をコピーしたリムーバブルメディア１７００がセットされたプリンタ１４００に対し、宅内ネットワーク１３００を介してレーベル印刷実施命令を送信してレーベル印刷を実施する（Ｓ４１０）とともに、番組処理手段１２０５において保存しているコピー残回数を示す数値から、レーベル印刷に必要なコピー残回数を示す数値を減じ、減算して得られた数値を新たなコピー残回数として番組処理手段１２０５に保存し（Ｓ４１１）、レーベル印刷処理を終了する（Ｓ４１２）。
【００７２】
以上のように構成することにより、ユーザが番組受信装置１２００を用いてサービス取得履歴に関する情報であるコピー残回数に応じて取得することができるサービスの取得条件および処理内容を、番組配信装置１１００側で制御することが可能となる。また、複数の画質の異なるレーベル印刷データとコピー残回数とを関連付けた柔軟なサービスを提供することが可能となる。
【００７３】
なお、本発明の実施の形態２においては、番組（Ａ）のコピー残回数が少なくとも１つの必要なコピー残回数以上であれば、番組（Ａ）のコピー残回数以下である少なくとも１つの必要なコピー残回数のうち最も回数が多いものを自動的に選択したが、レーベルサーバ１６００から印刷可能な画質が異なるレーベル画像に関するレーベル情報をすべて取得してＴＶなどの表示手段（図示せず）に表示し、ユーザに所望のレーベル画像を選択させるようにしてもよい。
【００７４】
また、本発明の実施の形態２においては、番組受信装置１２００が宅内ネットワーク１３００および宅外ネットワーク１５００を介してレーベルサーバ１６００からレーベル情報を取得する例を示したが、番組受信装置１２００から宅内ネットワーク１３００を介してプリンタ１４００にレーベル情報格納先ＵＲＬを送信し、プリンタ１４００がレーベル情報の取得からレーベル印刷までを行うようにしてもよい。
【００７５】
（実施の形態３）
図５は、本発明の実施の形態３に係る番組配信システムの構成を示すブロック図である。また、図６は、本発明の実施の形態３に係る番組受信装置におけるプレミアムコンテンツ視聴の処理の流れを示す図である。以下に、図５及び図６を用いて、サービス取得履歴に関する情報であるコピー残回数に応じて特別番組（プレミアムコンテンツ）の視聴が可能となる場合の処理について説明する。
【００７６】
図５において、番組配信装置１１５０は、番組蓄積手段１１０１、関連番組情報生成手段１１５１、番組受信条件生成手段１１５２、番組関連情報処理のための情報生成手段１１０５、番組選択情報生成手段１１０２および配信手段を備えており、関連番組情報生成手段１１５１は、プレミアムコンテンツと関連する配信済み番組の情報を生成し、番組受信条件生成手段１１５２は、プレミアムコンテンツ視聴条件としての配信済み関連番組の必要なコピー残回数を生成する。なお、図１と同様のブロックについては同一の符号を付し、ここでは説明を省略する。
【００７７】
番組配信装置１１５０は、本発明の実施の形態１に係る番組配信装置１１００が配信した通常のデジタル放送の番組に加えて、特定のユーザだけが視聴可能なプレミアムコンテンツも配信することができるようになっている。なお、通常のデジタル放送の番組を配信することについては、本発明の実施の形態１で説明した内容と同じであるのでここでは説明を省略する。
【００７８】
プレミアムコンテンツを配信する場合、関連番組情報生成手段１１５１は、プレミアムコンテンツに関連する配信済み番組を一意に規定する番組識別情報を生成し、番組選択情報生成手段１１０２に配信する。また、番組受信条件生成手段１１５２は、プレミアムコンテンツを視聴することが可能な条件（番組受信条件）に関する情報、すなわち、配信済み関連番組の必要なコピー残回数を生成し、番組選択情報生成手段１１０２に配信する。
【００７９】
番組選択情報生成手段１１０２は、本発明の実施の形態１の場合と同様に、プレミアムコンテンツに関連する配信済み番組の番組識別情報と、プレミアムコンテンツを視聴することが可能な条件（番組受信条件）に関する情報である関連する配信済み番組の必要なコピー残回数とをＥＰＧ情報に多重して配信手段１１０６に送信する。
【００８０】
なお、ここでの配信済み番組とは、プレミアムコンテンツの配信が始まるまでに配信が完了している番組のことであり、プレミアムコンテンツに関連する配信済み番組の番組識別情報と、プレミアムコンテンツを視聴することが可能な条件に関する情報である関連する配信済み番組の必要なコピー残回数に関する情報とが多重されたＥＰＧが配信される時には、必ずしも配信が完了している必要はない。
【００８１】
また、番組選択情報生成手段１１０２で生成されたＥＰＧ情報は、周期的に配信手段１１０６から番組受信装置１２００に対して配信され、プレミアムコンテンツも配信手段１１０６から番組受信装置１２００に対して配信される。
【００８２】
次に、図５及び図６を参照しながら、ユーザが、サービス取得履歴に関する情報であるコピー残回数に応じてプレミアムコンテンツの視聴を行う場合の番組受信装置１２００における処理の流れを説明する。
【００８３】
なお、図５に示す番組受信装置１２００の各ブロックにおける処理動作は、基本的に図１と同様であるので同一の符号を付して説明を省略し、ここでは本発明の実施の形態１および２と異なる内容について主に説明する。
【００８４】
まず、ユーザが、入力手段（図示せず）を用いて、所望するプレミアムコンテンツ（以下、プレミアムコンテンツ（Ｂ）と称す）の視聴を選択する（Ｓ６０１）と、番組処理手段１２０５は、番組関連情報取得条件確認手段１２０３にプレミアムコンテンツ（Ｂ）の視聴条件が保存されているか否かを確認する（Ｓ６０２）。確認した結果、視聴条件が保存されていなければ（ステップＳ６０２におけるＮＯの場合）、プレミアムコンテンツ（Ｂ）の視聴が不可であることを示す表示をＴＶなどの表示手段（図示せず）に表示してユーザに知らせ、処理を終了させる（Ｓ６０８）。確認した結果、視聴条件が保存されていれば（ステップＳ６０２におけるＹＥＳの場合）、番組処理手段１２０５は、番組関連情報取得手段１２０４からプレミアムコンテンツを視聴するために必要な関連する配信済み番組の番組識別情報を抽出し、番組関連情報取得条件確認手段１２０３からこの手段１２０３において番組識別情報と対応付けて保存されているサービスを取得することができる条件に関する情報であるプレミアムコンテンツ（Ｂ）の必要なコピー残回数を読み出す（Ｓ６０３）。
【００８５】
続いて、番組処理手段１２０５は、自身が番組識別情報と対応付けて保存しているプレミアムコンテンツ（Ｂ）のコピー残回数を読み出し（Ｓ６０４）、番組関連情報取得条件確認手段１２０３から読み出したプレミアムコンテンツ（Ｂ）を視聴するために必要なコピー残回数と比較する（Ｓ６０５）。比較した結果、プレミアムコンテンツ（Ｂ）のコピー残回数が必要なコピー残回数を下回っていれば（ステップＳ６０５におけるＮＯの場合）、番組処理手段１２０５は、プレミアムコンテンツ（Ｂ）の視聴は不可であることを示す表示を、ＴＶ１８００などの表示手段に表示してユーザに知らせ、処理を終了させる（Ｓ６０８）。また、比較した結果、プレミアムコンテンツ（Ｂ）のコピー残回数が必要なコピー残回数以上（ステップＳ６０５におけるＹＥＳの場合）でれば、番組処理手段１２０５は、番組選択情報処理手段１２０２から番組選択情報処理手段１２０２が選局したプレミアムコンテンツ（Ｂ）を受信して再生し、ＴＶ１８００に表示する（Ｓ６０６）とともに、自身が保存しているプレミアムコンテンツ（Ｂ）のコピー残回数から、プレミアムコンテンツ（Ｂ）の視聴に必要であったコピー残回数（必要なコピー残回数）を減じた回数を新たなコピー残回数（更新したコピー残回数）として保存し（Ｓ６０７）、プレミアムコンテンツ（Ｂ）の視聴処理を終了する（Ｓ６０８）。
【００８６】
なお、ここでのプレミアムコンテンツ（Ｂ）の視聴処理の終了とは、プレミアムコンテンツ（Ｂ）の選局処理の終了のことであって、視聴自体の終了を意味するものではない。
【００８７】
また、本発明の実施の形態１と同様、番組配信装置１１５０において、番組関連情報処理のための情報生成手段１１０５が、ユーザが番組受信装置１２００を用いてコピー残回数に応じて受けるサービスに対する処理に関する情報を生成して番組選択情報生成手段１１０２に送信し、番組選択情報生成手段１１０２でＥＰＧ情報に多重することにより、番組受信装置１２００におけるプレミアムコンテンツの受信サービス以外のサービスに対する処理も指定することが可能となる。
【００８８】
なお、サービスに対する処理内容については、番組配信装置１１５０と番組受信装置１２００の間であらかじめ決めておくことで対応が可能である。例えば、処理内容の情報を示すデータが２ｂｉｔであるとすると、００＝レーベル印刷、０１＝プレミアムコンテンツ録画、１０＝プレミアムコンテンツ視聴、１１＝レーベル印刷あるいはプレミアムコンテンツ録画あるいはプレミアムコンテンツ視聴などと決めることができる。
【００８９】
また、番組受信条件生成手段１１５２が、プレミアムコンテンツを視聴することが可能な条件に関する情報である配信済み関連番組の必要なコピー残回数を、回数が異なる複数の必要なコピー残回数を生成することで、コピー残回数に応じて、画質の異なるプレミアムコンテンツを視聴させたり、データ放送の受信の可否を変更させたり、あるいは視聴だけなく録画も可能にさせたりなどのサービスを提供することも可能となる。
【００９０】
また、本発明の実施の形態１〜３においては、ダビング１０方式を例に挙げて説明したが、コピーフリーのコンテンツに対しても同様の処理を行うことが可能である。ただし、この場合はコピー残回数の減算を行う必要はない。
【００９１】
また、本発明の実施の形態３においては、ダビング１０方式を例に挙げて説明したがこれに限るものではなく、例えば、コピーワンス方式において、録画履歴や視聴履歴を保存しておき、関連する番組を録画していない場合や視聴していない場合にのみ、該関連する番組（プレミアムコンテンツ）の視聴を可能にするなど、同様の処理が可能となる。
【００９２】
また、本発明の実施の形態３において、本発明の実施の形態２と同様に、関連番組情報生成手段１１５１が、プレミアムコンテンツと関連する配信済み番組の番組識別情報を複数生成することで、複数の配信済み番組と対応付けるサービス、例えば、複数の配信済み番組のコピー残回数の和をプレミアムコンテンツの視聴条件とするサービスなどを提供することも可能である。
【００９３】
また、本発明の実施の形態１〜３においては、デジタル放送を例に挙げて説明したがこれに限るものではなく、例えば、ＩＰ放送などの配信サービスにおいても適応させることが可能である。
【００９４】
また、本発明の実施の形態１〜３においては、ダビング１０方式を例に挙げて説明したがこれに限るものではなく、複数回のダビングなどを認めるダビング１０方式に類似した方式においても適応させることが可能である。
【００９５】
以上のように構成することにより、ユーザが番組受信装置１２００を用いてサービス取得履歴に関する情報であるコピー残回数に応じて取得できるサービスの取得条件および処理内容を、番組配信装置１１００側で制御することが可能となる。また、ユーザがコピー残回数に応じてレーベル印刷サービス、およびレーベル印刷以外のプレミアムコンテンツの視聴などのサービスを選択して利用できるなど、柔軟なサービスを提供することが可能となる。さらに、プレミアムコンテンツの視聴条件に関して、複数の関連番組と対応付けた柔軟なサービスの提供が可能となる。
【産業上の利用可能性】
【００９６】
本発明に係る番組配信システム、番組配信装置および番組受信装置は、デジタル放送のダビング１０方式や、放送電波およびインターネットなどを介してデジタルコンテンツ（デジタル番組）を配信する場合に今後採用される可能性のあるダビング１０方式に類似した方式において、番組に関連する種々のサービスを、過去に実施した番組のコピー回数および過去に取得した該番組に関連するサービスなどに基づく情報であるサービス取得履歴に関する情報に応じて柔軟に提供あるいは取得することができるので、デジタル放送や放送電波およびインターネットなどを介して番組を配信する際、配信する番組に関連するサービスを付加する場合に有用である。
【図面の簡単な説明】
【００９７】
【図１】本発明の実施の形態１における番組配信システムの構成を示すブロック図
【図２】ＰＭＴおよびデジタルコピー制御記述子の一部を表す図
【図３】本発明の実施の形態１に係る番組受信装置におけるレーベル印刷の処理の流れを示す図
【図４】本発明の実施の形態２に係る番組受信装置におけるレーベル印刷の処理の流れを示す図
【図５】本発明の実施の形態３における番組配信システムの構成を示すブロック図
【図６】本発明の実施の形態３に係る番組受信装置におけるプレミアムコンテンツ視聴の処理の流れを示す図
【図７】特許文献１に開示されている従来のメディアレーベル配信システムを構成するためのメディアレーベル印刷システムの構成を示すブロック図
【符号の説明】
【００９８】
７０１  光学ディスク
７０２  ＰＣ
７０３  外部ネットワーク
７０４  コンテンツ管理センター
７０５  購入者データベース
７０６  プリンタ
７０７  レーベル印刷済み光学ディスク
１１００  番組配信装置
１１０１  番組蓄積手段
１１０２  番組選択情報生成手段
１１０３  番組関連情報取得のための情報生成手段
１１０４  番組関連情報取得のための条件生成手段
１１０５  番組関連情報処理のための情報生成手段
１１０６  配信手段
１１５０  番組配信装置
１１５１  関連番組情報生成手段
１１５２  番組受信条件生成手段
１２００  番組受信装置
１２０１  受信手段
１２０２  番組選択情報処理手段
１２０３  番組関連情報取得条件確認手段
１２０４  番組関連情報取得手段
１２０５  番組処理手段
１２０６  番組蓄積手段
１２０７  リムーバブルメディア処理手段
１３００  宅内ネットワーク
１４００  プリンタ
１５００  宅外ネットワーク
１６００  レーベルサーバ
１７００  リムーバブルメディア
１８００  ＴＶ
【図１】
2009260686.tif 000003
【図２】
2009260686.tif 000004
【図３】
2009260686.tif 000005
【図４】
2009260686.tif 000006
【図５】
2009260686.tif 000007
【図６】
2009260686.tif 000008
【図７】
2009260686.tif 000009